(57)【要約】【課題】  水滴や泡等の付着のような、タッチ操作とは異なる事象を、真のタッチ操作と識別して、誤検知を防止することのできる光学式タッチパネル装置を提供する。【解決手段】  複数対の発光素子及び受光素子の光路を縦横に交差配置して成る検知部において走査を行って遮光物ありと検知した場合、遮光を検知した受光素子に対応する発光素子の発光量を増加させながら、走査を繰り返す。その結果、タッチ操作ではなく水滴等の付着物の場合は、受光量が確保され、遮光物なしと判定される。一方、タッチ操作の場合には、発光量を増加させても判定は同じ（遮光物あり）である。【選択図】      図５
2005339342.tif 000002
【特許請求の範囲】
【請求項１】
複数対の発光素子及び受光素子の光路を縦横に交差配置して成る検知部と、
各対の発光素子及び受光素子を順次動作させることにより前記光路における遮光物の有無を受光量の大小に基づいて判定するとともに、一旦遮光物ありと判定したとき、遮光物ありと判定する基準に対して受光量が相対的に大きくなるように一時的に設定変更して遮光物の有無を判定する制御部と
を備えたことを特徴とする光学式タッチパネル装置。
【請求項２】
前記設定変更とは、前記発光素子の発光量を増加させるか又は前記受光素子の受光感度を向上させることである請求項１記載の光学式タッチパネル装置。
【請求項３】
前記制御部は、前記発光素子の発光量を所定のレベルまで増加させた状態又は前記受光素子の受光感度を所定のレベルまで向上させた状態で遮光物ありと判定したとき、タッチありの出力を行う請求項１記載の光学式タッチパネル装置。
【請求項４】
前記制御部は、前記設定変更後に、遮光物なしと判定したとき、その後、受光量が所定のレベルまで増加したことをもって設定を段階的に所定量まで低下させて元に戻す請求項１記載の光学式タッチパネル装置。
【発明の詳細な説明】
【技術分野】
【０００１】
本発明は、例えば給湯器のリモコン装置として使用され、タッチ操作を光学的に検知する光学式タッチパネル装置に関する。
【背景技術】
【０００２】
一般家庭で浴槽への湯張りや蛇口への給湯に使用される給湯器は、台所及び浴室内にそれぞれ設置されたリモコン装置から、給湯に関する各種操作ができるようになっている。例えば、特許文献１に記載された従来のリモコン装置は、ケースに設けられた押しボタン式の操作スイッチの他、操作項目を視覚的に表示したＧＵＩ（グラフィカルユーザインタフェース）画面を備えており、当該画面は、透明なタッチセンサパネルで覆われている。画面上の選択したい項目を指で押すと、タッチセンサパネルによってどの項目が押されたかが検知され、画面全体が、当該項目に対応した別の画面に切り替わる。
【０００３】
上記タッチセンサパネルは、微小なスペーサを介して一方の樹脂製の透明フィルムと他方のガラス板とを重ね合わせ、その隙間内の対向面に電極を配置したものである。浴室内で使用するリモコン装置は当然に防水処理が必要であり、また、台所で使用するリモコン装置の場合も、設置場所によっては水がかかったり、濡れた手で操作する場合もあるので、やはり防水処理が必要である。従って、タッチセンサパネルに水が入らないように、防水性の接着シートで覆ったり、コーキング等の防水処理が施される。しかしながら、とりわけ浴室内のリモコン装置は頻繁かつ大量に水や石けんの泡等を浴びるため、透明フィルムが熱的な膨張・伸縮作用により経年劣化を起こし、形状変形により電極間が導通又は非道通の状態のままに保持されることがある。また、防水部分より水が浸入する場合もある。
【０００４】
そこで、上記のような電気的タッチセンサに代えて、例えば特許文献２に記載された光学式タッチパネルを使用することが考えられる。光学式タッチパネルを採用すれば、タッチ操作は光学的な事象（遮光）に基づいて検知されるので、タッチ操作に係る部分を電子回路部分と完全に隔離して、長期にわたって劣化しにくい防水処理構造とすることができる。
【０００５】
【特許文献１】特開平９−３１９４９２号公報（第４〜５頁、図３〜１５）
【特許文献２】特公平６−１２５１２号公報（第３図）
【発明の開示】
【発明が解決しようとする課題】
【０００６】
しかしながら、光学式タッチパネルが、浴室内のように水や石けんの泡等がかかる場所で使用された場合、タッチ操作する表面部分に付着した水滴や泡が発光素子から受光素子への光（赤外線）の到達を妨げることがある。その結果、一部の受光素子の受光量が低下し、タッチ操作と誤検知する場合があった。
かかる問題点に鑑み、本発明は、水滴や泡等の付着のような、タッチ操作とは異なる事象を、真のタッチ操作と識別して、誤検知を防止することのできる光学式タッチパネル装置を提供することを目的とする。
【課題を解決するための手段】
【０００７】
本発明の光学式タッチパネル装置は、複数対の発光素子及び受光素子の光路を縦横に交差配置して成る検知部と、各対の発光素子及び受光素子を順次動作させることにより前記光路における遮光物の有無を受光量の大小に基づいて判定するとともに、一旦遮光物ありと判定したとき、遮光物ありと判定する基準に対して受光量が相対的に大きくなるように一時的に設定変更して遮光物の有無を判定する制御部とを備えたものである。
上記のように構成された光学式タッチパネル装置においては、制御部が、一旦遮光物ありと判定したとき、遮光物ありと判定する基準に対して受光量が相対的に大きくなるように一時的に設定変更して遮光物の有無を判定することにより、光路上に水滴や泡等があっても受光量を確保し易くすることができる。従って、タッチ操作の場合は受光量を確保できず、水滴や泡等の場合は遮光物なしと判定する受光量を確保することができるように設定変更することで、タッチ操作とは異なる事象を、真のタッチ操作と識別することができる。
【０００８】
また、上記光学式タッチパネル装置において、設定変更とは、発光素子の発光量を増加させるか又は受光素子の受光感度を向上させることであってもよい。
この場合、設定変更前の通常の状態では消費電力を抑制することができる。特に、発光量を増加させる場合には、増加させた場合に比して通常は消費電力を抑制することができる。
【０００９】
また、上記光学式タッチパネル装置において、制御部は、発光素子の発光量を所定のレベルまで増加させた状態又は受光素子の受光感度を所定のレベルまで向上させた状態で遮光物ありと判定したとき、タッチありの出力を行ってもよい。
この場合、当該レベルに達するまで「遮光物あり」とされ続けた真のタッチ操作のみが、タッチありの出力の対象となり、当該レベルに達するまでに「遮光物なし」となる水滴や泡等をタッチ操作と識別して、確実に誤検知を防止することができる。
【００１０】
また、上記光学式タッチパネル装置において、制御部は、設定変更後に、遮光物なしと判定したとき、その後、受光量が所定のレベルまで増加したことをもって設定を段階的に所定量まで低下させて元に戻すようにしてもよい。
この場合、水滴や泡等が消失することによって受光量が所定のレベルに達したことを確認してから設定が段階的に所定量まで低下し、元に戻される。従って、水滴や泡等が消失しないうちに設定変更を復帰させて、その結果、同じ処理が繰り返される、という無駄な動作を排除することができる。また、元の適正な発光量に戻すことにより、無駄な電力の消費を排除することができる。
【発明の効果】
【００１１】
本発明の光学式タッチパネル装置によれば、一旦遮光物ありと判定したとき、遮光物ありと判定する基準に対して受光量が相対的に大きくなるように一時的に設定変更して遮光物の有無を判定することにより、光路上に水滴や泡等があっても受光量を確保し易くすることができる。従って、タッチ操作の場合は受光量を確保できず、水滴や泡等の場合は遮光物なしと判定する受光量を確保することができるように設定変更することで、タッチ操作とは異なる事象を、真のタッチ操作と識別することができる。すなわち、水滴や泡等がかかる場所で当該光学式タッチパネル装置を使用した場合、水滴や泡等の付着をタッチ操作と誤検知することを、防止することができる。
【発明を実施するための最良の形態】
【００１２】
図１は、給湯器とそのリモコン装置との概略接続図である。当該リモコン装置は、本発明の一実施形態による光学式タッチパネル装置を使用したものである。図において、給湯器（本体）１は、内部に制御部１１及び通信インタフェース部１２を備えている。台所及び浴室にそれぞれ設置される台所リモコン装置２及び風呂リモコン装置３も通信インタフェース部２１及び３１を備えており、給湯器１の通信インタフェース部１２とケーブル４で接続されている。
【００１３】
また、図１において、台所リモコン装置２は、上記通信インタフェース部２１と、これと接続された制御部２２と、制御部２２に接続された入出力部２３、検知部２４及び表示部２５とを備えている。入出力部２３は、スイッチ、ランプ等であり、検知部２４は光学式タッチパネル装置の光学系部分である。表示部２５には、給湯器１の操作及び状態表示に関するグラフィカルユーザインタフェース（ＧＵＩ）を構成する表示データが制御部２２から転送され、これが液晶ディスプレイに表示される。制御部２２は、通信インタフェース部２１，１２を介して給湯器１の制御部１１（図１）と通信を行っている。光学式タッチパネル装置２６は、制御部２２及び検知部２４によって構成されている。
一方、風呂リモコン装置３は、台所リモコン装置２の各部と同様の機能を備えた通信インタフェース部３１、制御部３２、入出力部３３、検知部３４及び表示部３５を備え、制御部３２と検知部３４とによって光学式タッチパネル装置３６を構成している。
【００１４】
台所リモコン装置２と風呂リモコン装置３とはそれぞれ、台所及び浴室から必要とされる給湯器１の操作や状態表示に関する機能を備えており、両者は同一物ではないが、基本的には概ね同様の機能を備えている。以下、両リモコン装置を代表して、風呂リモコン装置３について、詳細に説明する。
【００１５】
図２は、風呂リモコン装置３の外観を示す正面図である。図において風呂リモコン装置３の中央部には上記表示部３５が設けられ、その外側には、ＬＥＤランプ付きの運転入切スイッチ３３１の他、例えば、風呂自動スイッチ３３２、追い焚きスイッチ３３３、通話スイッチ３３４並びに、マイクロフォン（図示せず。）及びスピーカ３３５が設けられている。
【００１６】
図３は、表示部３５の周囲に設けられている光学式タッチパネル装置３６の検知部３４の構成を示す概略図である。図示のように、横方向及び縦方向に、複数対の発光素子Ｄ（赤外線ＬＥＤ）及び受光素子Ｔ（フォトトランジスタ）が配置され、これらの光路が表示部３５上で交差し、交差点がマトリックス状に存在する。なお、実際には図示しているよりも多数の素子（例えば５〜８ｍｍ程度の間隔で数十個）が配置され、交差点の数も多い。また、発光・受光は各対ごとの走査（例えば１０〜数１０ｍ秒／１走査で、全対の走査が完了する。）によって行われる。このような光学式タッチパネル装置では、例えば、図示の位置を指先で押すと、その位置で交差する縦横の光路が遮られ、当該光路上の受光素子Ｔが受光できない状態、すなわち遮光となり、遮光された受光素子Ｔから押された座標位置を特定することができる。このようにして、表示部３５上のどの位置が押されたかを示す操作入力を得ることができる。
【００１７】
図４は、光学式タッチパネル装置３６の電子回路図である。図において、発光素子は、Ｄ１〜Ｄｎまでｎ個（縦横の合計）設けられ、これらと対を成す受光素子は、Ｔ１〜Ｔｎまでｎ個設けられている。従って、ｎ対の発光・受光素子が存在する。各発光素子Ｄ１〜Ｄｎにはそれぞれ、スイッチングデバイスＳｄ１〜Ｓｄｎが直列に接続され、それらをｎ個の並列体にしたものと、ｍ個の抵抗Ｒ１〜ＲｍにそれぞれスイッチングデバイスＳｒ１〜Ｓｒｍを直列接続したものの並列体である発光量制限回路３２６とが、電源Ｖｃｃと接地電位間に直列に挿入されている。他方、各受光素子Ｔ１〜Ｔｎにはそれぞれ、スイッチングデバイスＳｔ１〜Ｓｔｎが直列に接続され、それらをｎ個の並列体にとしたものと、抵抗Ｒｅとが、電源Ｖｃｃと接地電位間に直列に挿入されている。
【００１８】
また、抵抗Ｒｅの非接地側端部に、増幅器３２１が接続されている。増幅器３２１の出力はＡ／Ｄコンバータ３２２によりディジタル信号に変換された後、ＣＰＵ３２３に入力される。ＣＰＵ３２３には、メモリ３２５が接続されている。また、ＣＰＵ３２３は、インタフェース回路３２４を介して、上記各スイッチングデバイスＳｄ１〜Ｓｄｎ、Ｓｔ１〜Ｓｔｎ及びＳｒ１〜Ｓｒｍを開閉する。抵抗Ｒ１〜Ｒｍは互いに異なる抵抗値に設定されており、どのスイッチングデバイスＳｒ１〜Ｓｒｍを閉じるかによって、発光量制限回路３２６全体としての抵抗値を多段階に設定することができる。具体的には、例えば発光素子Ｄ１〜Ｄｎのうちの１つに流す電流が１０ｍＡ〜４０ｍＡの範囲でｍ段階に変化させることができようになっている。
【００１９】
発光素子Ｄ１〜Ｄｎの発光量は、電流にほぼ比例するので、抵抗値を制御することにより電流を制御し、これによって発光量を制御することができる。ＣＰＵ３２３は、スイッチングデバイスＳｄ１〜Ｓｄｎがオンとなるタイミングと同期させて、スイッチングデバイスＳｒ１〜Ｓｒｍを閉じることができる。また、ＣＰＵ ３２３及びメモリ３２５は、発光素子Ｄ１〜Ｄｎについて、それらの発光量すなわち抵抗値の設定を、個別に記憶しており、すべての発光素子に同じ発光量を与えることもできるし、特定の発光素子にだけ異なる発光量を与えることもできる。
【００２０】
スイッチングデバイスＳｄ１〜Ｓｄｎ及びＳｔ１〜Ｓｔｎは、ＣＰＵ３２３からの指令により、順にそれぞれ１つずつ一定時間オン状態とされる。これにより、発光素子Ｄ１〜Ｄｎ及び受光素子Ｔ１〜Ｔｎのｎ対の発光・受光素子は、図３の縦横のどちらか一方から順に走査され、その後、他方に走査される。受光素子Ｔ１〜Ｔｎの出力電流は、抵抗Ｒｅにより電圧に変換され、増幅器３２１で一定の増幅を受ける。この増幅器３２１の出力電圧を、受光素子Ｔ１〜Ｔｎの「受光量」とする。増幅器３２１の出力電圧はＡ／Ｄコンバータ３２２でディジタル信号に変換された後、ＣＰＵ３２３に入力される。ｎ個の受光素子Ｔ１〜Ｔｎの受光量は、メモリ３２５に順次、記憶される。
【００２１】
次に、受光量に基づくタッチ操作の検知処理について図５のフローチャートを参照して説明する。まず最初に、遮光物が何もない状態であるとする。この状態において、処理が開始されると、制御部３２（ＣＰＵ３２３）は、発光素子Ｄ１〜Ｄｎの発光量を通常のレベルに設定し（ステップＳ１）、発光素子Ｄ１〜Ｄｎ及び受光素子Ｔ１〜Ｔｎの各ペアを順次オンにすることにより走査を行わせる（ステップＳ２）。なお、通常のレベルとは、具体的には、発光量制限回路３２６の抵抗値が所定値（例えば最大）となるようにスイッチングデバイスＳｒ１〜Ｓｒｍを閉路することである。通常の抵抗値をなるべく大きくして発光量を制限することにより、発光素子Ｄ１〜Ｄｎの電力消費を抑制することができる。
【００２２】
続いて、制御部３２は、走査の結果、遮光物があるか否かを判断する（ステップＳ３）。具体的には、受光量が所定のレベルＡ以下であれば遮光物あり、と判断し、レベルＡを超えれば遮光物なし、と判断する。ここでは、前述の条件により、遮光物なし、と判断し、制御部３２はステップＳ４に進む。ここで、制御部３２は、「再走査」のフラグがオンであるか否かを判断する。このフラグの初期設定はオフであり、従って制御部３２は発光量を通常のレベルに維持し（ステップＳ５）、「タッチなし」の出力を行って（ステップＳ６）、ステップＳ２に戻る。タッチなしの出力の場合、表示部３５（図２）の表示は、初期のディフォルト画面のままであり、変化しない。以下、遮光物が現れるまで、上記の処理が繰り返される。
【００２３】
次に、指でタッチ操作を行った場合について説明する。この場合、ステップＳ３における判断がイエスとなり、制御部３２は、発光量が所定のレベルであるか否かを判断する（ステップＳ７）。ここで判断の対象となるのは全ての発光素子の発光量ではなく、遮光となった受光素子に対応する発光素子の発光量である。遮光物が現れるまでの発光量は前述のように低いレベルに設定されており、ここでいう所定のレベルには達していない。従って、制御部３２はステップＳ８に進んで再走査フラグをオンに設定し、遮光となった受光素子に対応する発光素子の発光量を、例えば１段階増加させる（ステップＳ９）。こうして、指によって光路を遮られた発光素子の発光量が増加し、その状態で再び走査が行われる（ステップＳ２）。
【００２４】
再走査の結果は、タッチ操作中のため、依然として遮光物あり、であり、ステップＳ７からＳ８，Ｓ９が実行され、発光量がさらに増加する。そして、増加した発光量でさらに走査が行われる。このような処理が繰り返されているうちに、発光量が所定のレベルに達し（ステップＳ７）、制御部３２は、再走査フラグをオフにして（ステップＳ１０）、タッチありの出力を行う（ステップＳ１１）。この出力は、タッチ操作された座標の情報に基づいて操作内容が判断され、当該操作に対応した新しい表示データが表示部３５に転送される。その後、タッチ操作している間、制御部３２はステップＳ２，Ｓ３，Ｓ７，Ｓ１０，Ｓ１１を繰り返し、指が離れた時点で、ステップＳ３からステップＳ４に進む。
【００２５】
ステップＳ４で、再走査フラグはオフであり、従って、制御部３２は、ステップＳ５において発光量を通常のレベルに戻し、タッチなしの出力を行う（ステップＳ６）。その後、ステップＳ２に戻り、走査が繰り返される。このように、タッチ操作が行われた後は、通常の待機状態に戻して発光量を通常のレベルに戻す。
【００２６】
次に、水滴、石けんの泡等、タッチ操作ではないが、若干の遮光性を有する物体が付着した場合について、水滴を代表例として説明する。図６は、検知部３４上に水滴Ｗが付着した状態を示す図である。水滴Ｗにより遮光された受光素子は、受光量が低下する。この場合、タッチ操作の場合と同様に、まず、ステップＳ３における判断がイエスとなり、制御部３２は、発光量が所定のレベルであるか否かを判断する（ステップＳ７）。ここで判断の対象となるのは、遮光となった受光素子に対応する発光素子の発光量である。遮光物が現れるまでの発光量は前述のように低いレベルに設定されており、ここでいう所定のレベルには達していない。従って、制御部３２はステップＳ８に進んで再走査フラグをオンに設定し、遮光となった受光素子に対応する発光素子の発光量を、例えば１段階増加させる（ステップＳ９）。こうして、水滴Ｗによって光路を遮られた発光素子の発光量が増加し、その状態で再び走査が行われる（ステップＳ２）。
【００２７】
発光量を１段階上げても依然として遮光物あり、と判断されれば、ステップＳ２，Ｓ３，Ｓ７，Ｓ８，Ｓ９が繰り返され、発光量が漸次増加してゆく。通常、水滴であれば、この繰り返し処理の途中で、光が水滴Ｗを通過して受光素子に届き（図７参照。）、遮光物なし、の判断に転じる（そうなるように光量の段階が設定されている。）。言い換えれば、発光量が所定のレベルに達するまで待つステップＳ７の存在により、当該レベルに達するまで「遮光物あり」とされ続けた真のタッチ操作のみが、タッチありの出力の対象となり、当該レベルに達するまでに「遮光物なし」となる水滴や泡等をタッチ操作と識別して、確実に誤検知を防止することができる。
ステップＳ３において遮光物なしの場合、制御部３２はステップＳ４に進み、再走査フラグをチェックする。ここで、再走査フラグはオンであるので、制御部３２はステップＳ１２に進み、受光量がほぼ飽和に相当するレベルＢ（Ｂ＞Ａ）以上であるか否かを判断する。
【００２８】
受光量がレベルＢ以上となるのは、水滴が流れる、乾く、等の理由により遮光原因が消失した場合である。レベルＢ以上でない場合、制御部３２は、タッチなしの出力（ステップＳ６）を行い、ステップＳ２からＳ３，Ｓ４を経てＳ１２のノーを繰り返し、レベルＢ以上に達すると、ステップＳ１３に進む。このようにして、レベルＢに到達するのを待つことにより、遮光物なしと判断して発光量を直ちに通常に戻したら再び遮光物あり、と判断されて無駄な処理が繰り返されるのを防止することができる。
次に、制御部３２は、ステップＳ１３において発光量が通常のレベルであるか否かを判断し、通常のレベルでなければ、ステップＳ１４を実行し、発光量を低減する（段階的に所定量まで低下させ、通常のレベルに戻す。）。そして、タッチなしの出力が行われ、ステップＳ２に戻る。こうして、水滴Ｗをタッチ操作と誤ることなく、正確に、タッチなしの判断を下すことができる。
【００２９】
次に、水滴等の付着とタッチ操作とが同時に起こった場合について説明する。この場合、タッチありの出力が行われるまでは、前述のタッチ操作の場合と同様である。その後、指が離れた時点で、ステップＳ３からステップＳ４に進む。ここで、再走査フラグはオフであるので、制御部３２は発光量を通常に戻し（ステップＳ５）、タッチなしの出力を行う（ステップＳ６）。発光量が通常に戻ると、今度は水滴により遮光物あり、と判断し、上述の水滴等の場合の処理が行われ、最終的にタッチなしの出力が行われる。
【００３０】
図８は、光学式タッチパネル装置３６の電子回路の他の構成例である。図４との違いは、発光量制限回路３２６の代わりに定電流回路３２８を設け、これを、Ｄ／Ａコンバータ３２７を介してＣＰＵ３２３により制御するようにした点である。この場合、ＣＰＵ３２３は、一旦遮光された受光素子に対応する発光素子に対して次に流れる電流を増加させる指示を定電流回路３２８に出力することにより、上記と同様の発光量増加の制御を行うことができる。発光量の調整の汎用性に関しては、このように定電流回路を用いる方が便利である。
【００３１】
図１０は、水滴等をタッチ操作と識別する上記の考え方を受光量のグラフで示したものであり、（ａ）に示すように、遮光物なしのときは、受光量はレベルＡ（閾値）を超えており、遮光物なしと判断される。一方、タッチ操作したときは、受光量はレベルＡを十分に下回り、遮光物ありと判断される。さらに、水滴等の場合は、通常の発光量ではレベルＡを下回り、遮光物あり、と判断される。次に、発光量を十分に増加させると、（ｂ）に示すように、水滴の場合には受光量がレベルＡを超え、遮光物なし、と判断される。なお、実際に遮光物なしの場合、受光量は飽和してレベルＢに達する。
【００３２】
なお、上記実施形態では、水滴等を、発光量の増加により、タッチ操作と識別するようにしたが、発光量を増加させる代わりに、図９に示すようにＣＰＵ３２３からＤ／Ａコンバータ３２９を介して増幅器３２１（例えば電子ボリウムで操作されるアンプ）の増幅率を特定の受光素子に関して増加させれば、実質的に受光感度を向上させることができるので、発光量増加の場合と同様に、タッチ操作と水滴等付着との識別を行うことができる。この場合、上述の、発光素子の発光量の増加が、受光素子の受光感度の向上、とほぼ同じ意味をもち、フローチャートは、図５のフローチャートにおける「発光量」の文言を「受光感度」に置き換えたものとなる。なお、発光素子Ｄ１〜Ｄｎの電流制限抵抗Ｒｉは固定抵抗でもよい。また、必要なときにのみ受光感度を向上させ、通常は受光感度を低く設定することにより、消費電力を抑制することができる。
【００３３】
さらにまた、図１０の（ａ）における閾値のレベルＡを、（ｃ）におけるレベルＣ（＜Ａ）に変化（低下）させることによっても、同様に、識別を行うことができる。すなわち、レベルＣではタッチ操作により遮光となるが、水滴では遮光とはならない。
要するに、遮光物ありと判定する基準に対して受光量が相対的に大きくなるように一時的に設定変更して遮光物の有無を判定すればよい。
【００３４】
また、上記実施形態では、一旦遮光と判定された光路の発光素子のみの発光量を増大させるようにしたが、複数の互いに離れた箇所で遮光物を検知したり、水滴等が垂れ落ちている等の場合には、すべての発光素子の発光量を一斉に増加させて再走査を行うようにしてもよい。
【００３５】
なお、本実施形態の光学式タッチパネル装置は、給湯器のリモコン装置に限らず、タッチ操作との識別が必要となる水滴等がかかる可能性のある場所で用いられる機器、例えば浴室内で使用するテレビや通信機器（光学式タッチパネルを用いているもの）の他、屋外では自動販売機等にも使用することができる。
また、上記実施形態では真のタッチ操作とは異なる事象として水滴や泡について述べたが、一時的に付着したほこりやごみ（ある程度光を透過するもの）に対しても、同様に誤検知を防止することができる。
【図面の簡単な説明】
【００３６】
【図１】給湯器とそのリモコン装置との概略接続図である。
【図２】風呂リモコン装置の外観を示す正面図である。
【図３】光学式タッチパネル装置の検知部の構成を示す概略図である。
【図４】本発明の一実施形態による光学式タッチパネル装置の電子回路図である。
【図５】制御部によって行われる、上記光学式タッチパネル装置の処理に関するフローチャートである。
【図６】光学式タッチパネル装置の検知部上に水滴が付着した状態を示す図である。
【図７】図６の状態から、発光量を増大させた状態を示す図である。
【図８】光学式タッチパネル装置の電子回路の他の例を示す図である。
【図９】光学式タッチパネル装置の電子回路のさらに他の例を示す図である。
【図１０】水滴等とタッチ操作とを受光量によって識別する考え方を示す図である。
【符号の説明】
【００３７】
３２    制御部
３４    検知部
３６    光学式タッチパネル装置
Ｄ（Ｄ１〜Ｄｎ）    発光素子
Ｔ（Ｔ１〜Ｔｎ）    受光素子
【図１】
2005339342.tif 000003
【図２】
2005339342.tif 000004
【図３】
2005339342.tif 000005
【図４】
2005339342.tif 000006
【図５】
2005339342.tif 000007
【図６】
2005339342.tif 000008
【図７】
2005339342.tif 000009
【図８】
2005339342.tif 000010
【図９】
2005339342.tif 000011
【図１０】
2005339342.tif 000012